(57)【要約】【課題】  本発明の課題は、ａ／ｖ信号が低い信号品質を有するセグメントを有する場合に利用可能なストレージスペースの使用を最適化することができる記録媒体におけるａ／ｖ信号を記録するための方法及びそのための装置を提供することである。【解決手段】  記録媒体におけるａ／ｖ信号を記録するための方法において、決定された品質指示値が予め定められた閾値より低い場合、記録ビットレートは自動的に最低可能記録ビットレートに調整されることによって解決され、  さらに、装置において、この装置が記録媒体におけるａ／ｖ信号を記録するための上記方法を実行することによって解決される。【選択図】図１
2006196163.tif 000002
【特許請求の範囲】
【請求項１】
記録媒体におけるａ／ｖ信号を記録（６）するための方法であって、該方法は、
ａ／ｖ信号を受信する（１）ステップ、
受信されたａ／ｖ信号の品質を指示する品質指示値を決定する（２）ステップ、
品質指示値と予め定められた閾値とを比較する（３）ステップを有する、記録媒体におけるａ／ｖ信号を記録（６）するための方法において、
決定された品質指示値が予め定められた閾値より低い場合、記録ビットレートは自動的に最低可能記録ビットレートに調整（５）される、記録媒体におけるａ／ｖ信号を記録（６）するための方法。
【請求項２】
品質指示値は２つ以上の閾値と比較され、各々の閾値は閾値低下に割り当てられた記録ビットレート低下を有し、さらに記録ビットレートは品質指示値より上の最低閾値に割り当てられた記録ビットレートに調整（５）される、請求項１記載の方法。
【請求項３】
決定された品質指示値が予め定められた閾値のうちの少なくとも１つよりも低い場合、ａ／ｖ信号セグメントは記録媒体において一時的に消去されたものとしてマーキングされる、請求項１又は２記載の方法。
【請求項４】
さらに決定された品質指示値が予め定められた閾値のうちの少なくとも１つよりも低い記録媒体上のａ／ｖ信号セグメントを指示するテーブルを生成するステップを含む、請求項１〜３のうちの１項記載の方法。
【請求項５】
異なる予め定められた閾値が異なる信号源に対して使用される、請求項１〜４のうちの１項記載の方法。
【請求項６】
予め定められた閾値はユーザによって調整可能である、請求項１〜５のうちの１項記載の方法。
【請求項７】
ａ／ｖ信号はテープから受信される、請求項１〜６のうちの１項記載の方法。
【請求項８】
記録媒体から読み出し及び記録媒体に書き込みするための装置において、
該装置は記録媒体におけるａ／ｖ信号を記録するための請求項１〜７のうちの１項記載の方法を実行することを特徴とする、記録媒体から読み出し及び記録媒体に書き込みするための装置。
【発明の詳細な説明】
【技術分野】
【０００１】
本発明は、記録媒体におけるａ／ｖ信号を記録するための方法であって、この方法は、ａ／ｖ信号を受信するステップ、受信されたａ／ｖ信号の品質を指示する品質指示値を決定するステップ、品質指示値と予め定められた閾値とを比較するステップを有する、記録媒体におけるａ／ｖ信号を記録するための方法に関し、さらに、本発明は、記録媒体から読み出し及び記録媒体に書き込みするための装置に関する。
【背景技術】
【０００２】
ａ／ｖデータがテープからさらに別の記録媒体にコピーされる場合、例えばフィルムがカムコーダテープからＤＶＤ（デジタルバーサタイルディスク）にコピーされる場合、記録されないセグメント又は非常に低い信号品質を有するセグメントがテープ上に存在するという問題がある。さらに、この問題はテープからのコピーの間に発生するだけではない。ａ／ｖ信号がａ／ｖソース、例えばアナログ又はデジタルチューナ又は光ディスクドライブから記録するために受信される時にはいつでも非常に低い信号品質を有するセグメントには遭遇しうるだろう。これらのセグメントは不必要に利用可能なストレージスペースを占有するので通常は新たなレコーディングには含まれるべきではない。
【０００３】
記録されない又は低品質セグメントが不必要にストレージスペースを占有してしまうことを防ぐためのいくつかの解決策が公知である。例えば、ユーザが継続的に記録プロセスの間にこのようなセグメントが発生しているか否かをチェックし、さらに手動で記録プロセスを中断してもよい。しかし、この解決策はユーザにとっては便利とは言えない。
【０００４】
さらに別の解決策は、ＪＰ−２１９５５５１に記述されている。ビデオレコーダがコンスタントにａ／ｖ信号の品質を解析し、信号品質が不十分である場合には記録モードから休止モードにスイッチする。もし信号品質が長い期間低いままであるならば、ビデオレコーダはストップモードにスイッチする。信号品質が改善されると、ビデオレコーダは記録モードにスイッチバックする。この解決策は記録プロセスがユーザによって制御される必要がないという利点を有する。しかし、もし低い信号品質が間違って検出されるならば、適正なセグメントが記録されず、全記録動作を繰り返さなければならないだろう。さらに、ユーザが低い信号品質にもかかわらず記録したいと思うセグメントも発生しうる。
【特許文献１】ＪＰ−２１９５５５１
【発明の開示】
【発明が解決しようとする課題】
【０００５】
本発明の課題は、ａ／ｖ信号が低い信号品質を有するセグメントを有する場合に利用可能なストレージスペースの使用を最適化することができる記録媒体におけるａ／ｖ信号を記録するための方法及びそのための装置を提供することである。
【課題を解決するための手段】
【０００６】
上記課題は、記録媒体におけるａ／ｖ信号を記録するための方法において、決定された品質指示値が予め定められた閾値より低い場合、記録ビットレートは自動的に最低可能記録ビットレートに調整されることによって解決され、
さらに、装置において、この装置が記録媒体におけるａ／ｖ信号を記録するための上記方法を実行することによって解決される。
【発明を実施するための最良の形態】
【０００７】
本発明によれば、本発明の課題は、記録媒体におけるａ／ｖ信号を記録するための方法であって、この方法は、
ａ／ｖ信号を受信するステップ、
受信されたａ／ｖ信号の品質を指示する品質指示値を決定するステップ、
品質指示値と予め定められた閾値とを比較するステップを有する、記録媒体におけるａ／ｖ信号を記録するための方法において、
決定された品質指示値が予め定められた閾値より低い場合、記録ビットレートは自動的に最低可能記録ビットレートに調整されることによって解決される。常時又は少なくとも繰り返しａ／ｖ入力信号の品質をモニタリングすることによって、まったく記録プロセスの間のユーザコントロールなしで最小可能記録スペースが低品質ａ／ｖ信号セグメントの記録のために利用されることが保証される。同時にこれらの信号セグメントは完全には失われない。記録媒体におけるこれらの品質がいかに不十分であっても、それは最低可能記録ビットレートによる記録のために大幅には低下しない。ａ／ｖ入力信号の品質が閾値より上に再びなれば、通常ビットレートでの記録が継続される。
【０００８】
有利には、品質指示値は２つ以上の閾値と比較され、各々の閾値は閾値低下に割り当てられた記録ビットレート低下を有し、さらに記録ビットレートは品質指示値より上の最低閾値に割り当てられた記録ビットレートに調整される。これによって、記録に使用されるビットレートを入力ａ／ｖ信号の品質により正確に調整することが可能となる。高品質入力ａ／ｖ信号に対しては、最高ビットレートが使用され、品質の低下とともにビットレートは次第に低下される。このようにして利用可能なストレージスペースが多大な記録品質の損失なしに最適に使用される。
【０００９】
有利には、決定された品質指示値が予め定められた閾値のうちの少なくとも１つよりも低い場合、ａ／ｖ信号セグメントは記録媒体において一時的に消去されたものとしてマーキングされる。このようにして、記録されたａ／ｖ入力信号のプレイバックの際には、ユーザを不快にさせそうな低品質セグメントは再生されない。しかし、ユーザはもし望めばこれらのセグメントのうちの１つ以上を再現する可能性をまだ有する。一時的に消去されたセグメントにアクセスするために、有利には、決定された品質指示値が予め定められた閾値のうちの少なくとも１つよりも低い記録媒体上のａ／ｖ信号セグメントを指示するテーブルが生成される。このテーブルは記録媒体上に格納されるか又は所定の時間の間記録デバイスのメモリに保持されうる。後者の場合には、記録プロセスの後でテーブルがデバイスメモリから削除される前にどのセグメントが消去されるべきかを指示するようにユーザがリクエストされる。
【００１０】
有利には、異なる予め定められた閾値が異なる信号源に対して使用される。例えば、比較的高い閾値は高品質信号源に適しており、他方で低品質信号源に対しては低い閾値が使用されるべきである。同様に、異なる閾値が有利にはテープのように記録されないセグメントを明示（exhibit）してしまいそうな信号源とこれには当てはまらない信号源とに対して使用される。
【００１１】
有利には、予め定められた閾値はユーザによって調整可能である。ユーザが異なれば異なる信号品質を受け入れがたいと知覚するので、調整可能な閾値によってユーザは品質の自分自身の知覚（his own perception of quality）に閾値を適応させることが可能となる。
【００１２】
有利には、記録媒体から読み出し及び記録媒体に書き込みするための装置は記録媒体におけるａ／ｖ信号を記録するための本発明の方法を実行する。このような装置は、例えばハードディスクレコーダ、光記録媒体のためのレコーダ又はテープレコーダである。もちろん、本発明は他のタイプのレコーダにも同様に適用可能である。
【実施例】
【００１３】
本発明の実施例を以下において図面を参照しつつ記述する。
【００１４】
図１にはａ／ｖ入力信号を記録するための本発明による方法が示されている。ａ／ｖ信号を受信１すると、品質指示値２が決定される。この品質指示値は閾値と比較３される。もしａ／ｖ信号の品質が閾値より上にあれば、記録のために使用されるビットレートは通常ビットレート、例えばユーザにより選択された又は利用可能なストレージスペースに基づき自動的に決定されたビットレートにセット４される。しかし、もしａ／ｖ信号の品質が閾値よりも小さいならば、記録のためのビットレートは低品質ａ／ｖ信号を記録するためにストレージスペースを浪費しないように最低可能ビットレートにセット５される。ａ／ｖ信号はついで記録媒体に記録６される。品質指示値を単一の閾値と比較３する代わりに、品質指示値を複数の閾値と比較３することもまた可能である。この場合には、異なる少しずつずらされたビットレートがａ／ｖ信号の品質に応じて記録のために使用される。
【００１５】
図２は概略的にａ／ｖ入力信号を記録するための装置１０を示す。ａ／ｖ入力信号は入力側１１で受信され、記録ユニット１７及び受信されたａ／ｖ入力信号に対する品質指示値を決定するためのユニット１２に供給される。この品質指示値は比較ユニット１３に出力され、この比較ユニット１３は品質指示値を閾値と比較する。閾値は固定されるか又は例えばユーザインターフェース１４を介するユーザ入力によって調整可能である。現在の記録のために特定された通常ビットレートに基づいて、例えばより大きい通常ビットレートが特定された場合にはより大きい閾値を利用することによって、又は、ａ／ｖ入力信号の平均品質に基づいて、閾値を自動的に決定することもまた可能である。例えば、ａ／ｖ入力信号の低い平均品質に対しては、閾値は高い平均品質に対するよりも低くセットされるべきである。随意に、決定された閾値及び/又は品質指示値が指示手段１５、例えばディスプレイ又はインジケータランプを介してユーザに示されうる。比較ユニット１３により得られた結果はビットレートセッティング手段１６に伝送され、このビットレートセッティング手段１６は記録に使用されるべきビットレートを決定し、これに応じて記録ユニット１７を適合させる。
【図面の簡単な説明】
【００１６】
【図１】ａ／ｖ入力信号を記録するための本発明の方法のフローチャートである。
【図２】本発明による方法を実行するための装置の概略図である。
【符号の説明】
【００１７】
１  ａ／ｖ信号受信
２  品質指示値決定
３  品質と閾値比較
４  通常ビットレートセット
５  最低ビットレートセット
６  ａ／ｖ信号記録
１０  ａ／ｖ入力信号記録用装置
１１  入力側
１２  品質指示値決定ユニット
１３  比較ユニット
１４  ユーザインターフェース
１５  指示手段
１６  ビットレートセッティング手段
１７  記録ユニット
【図１】
2006196163.tif 000003
【図２】
2006196163.tif 000004